(57)【要約】【課題】幅員の狭い道路に電柱のような路上障害物に装着することで、車両が行き違いするときに、昼間であっても眩しくなることがなく、自車とその路上障害物との距離感を把握することができ、安全に行き違いする。【解決手段】道路Ｒに設置されている電柱等の路上障害物Ｐと、運転中の車両との距離を確認する車両離合支援ミラー１であり、可撓性を有する鏡面シート２と、鏡面シート２の表面に貼りあわせた偏光シート３とから成り、路上障害物Ｐに巻き付けるようにその両端縁を締め付け固定するように構成した。【選択図】図１
2008216826.tif 000002
【特許請求の範囲】
【請求項１】
道路（Ｒ）に設置されている電柱等の路上障害物（Ｐ）と、運転中の車両との距離を確認する車両離合支援ミラー（１）であって、
可撓性を有する鏡面シート（２）と、
前記鏡面シート（２）の表面に貼りあわせた偏光シート（３）と、から成り、
前記路上障害物（Ｐ）に巻き付けるように、その両端縁を締め付け固定するように構成した、ことを特徴とする車両離合支援ミラー。
【請求項２】
前記鏡面シート（２）は、鏡面処理を施したアルミニウム製のシート材である、ことを特徴とする請求項１の車両離合支援ミラー。
【請求項３】
前記鏡面シート（２）は、鏡面処理を施した合成樹脂製のシート材である、ことを特徴とする請求項１の車両離合支援ミラー。
【請求項４】
前記車両離合支援ミラー（１）の表面に、汚染防止機能を有する光触媒の被膜（４）を形成した、ことを特徴とする請求項１の車両離合支援ミラー。
【請求項５】
前記車両離合支援ミラー（１）を、路上障害物（Ｐ）となる電柱に上下に２箇所装着した、ことを特徴とする請求項１の車両離合支援ミラー。
【発明の詳細な説明】
【技術分野】
【０００１】
本発明は、交通安全用に道路に設置するミラーに係り、特に幅員の狭い道路に設置されている電柱等の路上障害物と運転中の車両との距離を確認することができる車両離合支援ミラーに関する。
【背景技術】
【０００２】
幅員の狭い道路Ｒにおいては、図５（ａ），（ｂ）の平面説明図に示すように、車両Ｃ同士が離合する際に、電柱のような路上障害物Ｐがあるとその行き違いが困難になることがあり、渋滞の原因になる。即ち、電柱のような路上障害物Ｐが狭い道路Ｒ内に設置されている場合、車両Ｃ同士が離合する際にこの電柱と自車Ｃとの距離感を把握することが困難である。
【０００３】
例えば、道路Ｒ上に設置され、対向車を確認するための反射鏡に関する技術が提案されている。特許文献１の特開２０００−２８８１０公報「電柱設置型反射鏡」に示すように、電柱に帯するごとくに設置し、異方向から互いに接近する自動車等がいち早く相手の接近を察知し得るように鏡面状に加工したステンレスもしくは鏡面加工した樹脂等で作られた帯板状の反射鏡が提案されている。
【特許文献１】特開２０００−２８８１０
【発明の開示】
【発明が解決しようとする課題】
【０００４】
しかし、特許文献１の「電柱設置型反射鏡」は、単に電柱に鏡面板を巻き付けただけで、昼間における太陽光を不用意に反射することがあり、却って、その反射光が眩しく運転者に悪影響を来たすという問題を有していた。
【０００５】
本発明は、かかる問題点を解決するために創案されたものである。すなわち、本発明の目的は、幅員の狭い道路に電柱のような路上障害物に装着することで、車両が行き違いするときに、昼間であっても眩しくなることがなく、自車とその路上障害物との距離感を把握することができ、安全に行き違いすることができる車両離合支援ミラーを提供することにある。
【課題を解決するための手段】
【０００６】
本発明によれば、道路（Ｒ）に設置されている電柱等の路上障害物（Ｐ）と、運転中の車両との距離を確認する車両離合支援ミラー（１）であって、可撓性を有する鏡面シート（２）と、前記鏡面シート（２）の表面に貼りあわせた偏光シート（３）と、から成り、前記路上障害物（Ｐ）に巻き付けるように、その両端縁を締め付け固定するように構成した、ことを特徴とする車両離合支援ミラーが提供される。
【０００７】
前記鏡面シート（２）には、鏡面処理を施したアルミニウム製のシート材、又は鏡面処理を施した合成樹脂製のシート材を用いることができる。
前記車両離合支援ミラー（１）の表面に、汚染防止機能を有する光触媒の被膜（４）を形成することが好ましい。
前記車両離合支援ミラー（１）を、路上障害物（Ｐ）となる電柱に上下に２箇所装着することができる。
【発明の効果】
【０００８】
上記構成では、幅員の狭い道路（Ｒ）に電柱のような路上障害物（Ｐ）に車両離合支援ミラー（１）を装着することで、車両（Ｃ）が行き違いするときに、この車両離合支援ミラー（１）に自車を映すことにより、その路上障害物（Ｐ）と自車との距離感を把握することができる。車両離合支援ミラー（１）の鏡面シート（２）の表面に偏光シート（３）を貼りあわせているので、昼間の太陽光の反射光の量を低減することにより、運転者が眩しくなることを防止して安全に距離感を把握させることができる。
前記車両離合支援ミラー（１）の表面に形成した光触媒の被膜（４）は、汚染防止機能を有するので、屋外にあって風雨と埃にさらされている車両離合支援ミラー（１）の鏡面シート（２）の反射機能を維持することができる。
前記車両離合支援ミラー（１）を、路上障害物（Ｐ）となる電柱に上下に２箇所装着することにより、大型車や小型車といった運転席の高さ位置が異なるときでも、それぞれの運転席から自車との距離感を把握することができる。
【０００９】
付随的な効果として、電柱のような路上障害物（Ｐ）に光反射機能を有する部材を備えているので、人家からの光や街路灯の光を反射することで、道路が暗闇にならず、かつ歩行者の後方を歩く人の存在も確認することができ、ひったくり、痴漢等の犯罪の防止にも寄与することができる。
また、電柱には犬がマーカー（犬の放尿）することにより、この電柱の汚染、周辺環境を悪化させていた。しかし、この車両離合支援ミラー（１）によれば、電柱に近づく犬がこれに映った自分の姿を警戒して、その電柱にはマーカーをしなくなる。
更に、見通しの悪い交差点等においては、車両離合支援ミラー（１）があると、相手車両を確認することができ、出合いがしらの事故を防止することができる。
【発明を実施するための最良の形態】
【００１０】
本発明の車両離合支援ミラーは、道路に設置されている電柱等の路上障害物と、運転中の車両との距離を確認するものである。
【実施例１】
【００１１】
以下、本発明の好ましい実施の形態を図面を参照して説明する。
図１は本発明の車両離合支援ミラーを電柱に巻き付けた状態を示すものであり、（ａ）は斜視図、（ｂ）は横断面図、（ｃ）は車両離合支援ミラーの拡大横断面図である。
本発明の車両離合支援ミラー１では、可撓性を有する鏡面シート２と、この鏡面シート２の表面に貼りあわせた偏光シート３とから成るものである。この車両離合支援ミラー１は、電柱等の路上障害物Ｐに巻き付けるように、この車両離合支援ミラー１の両端縁を締め付け固定し得るように構成したものである。
【００１２】
鏡面シート２は、例えば、鏡面処理を施したアルミニウム製の金属箔等のシート材である。本発明は、反射機能を有し、かつ可撓性を有する素材であれば、この金属箔等のシート材以外に鏡面処理を施した合成樹脂製のシート材を用いることができる。その素材はアルミニウム製又は合成樹脂製のシート材に限定されない。
【００１３】
鏡面シート２の表面に貼りあわせた偏光シート３は、昼間の太陽光の反射光の量を低減し、運転者に安全に距離感を把握させるためのものである。この偏光シート３を貼り付けていないと、太陽光が反射して運転者が眩しくなるからである。この偏光シート３は、鏡面シート２に入射して反射する光量を低減するものである。
【００１４】
車両離合支援ミラー１の表面に形成した光触媒の被膜４は、汚染防止機能を有するので、屋外にあって風雨と埃にさらされている車両離合支援ミラー１の鏡面シート２の反射機能を維持することができる。この光触媒としては例えば酸化チタン（ＴｉＯ２）を用いることができる。
【００１５】
図２は車両離合支援ミラーを電柱に巻き付ける前の状態を示すものであり、（ａ）は全体斜視図、（ｂ）は平断面図である。
本発明の車両離合支援ミラー１は、略長方形状のシート材から成るものである。この車両離合支援ミラー１は、その両端部同士を締付バンド５で、電柱Ｐに取り付け固定する（図１（ｂ）参照）。この締付バンド５は、その端部に締付具を取り付けたものである。電柱に車両離合支援ミラー１を巻き付け両端部の挿通孔６の一方より開放した締付バンド５の端を挿通し、車両離合支援ミラー１の他方の挿通孔に掛け止め、突出した締付バンド５の先端に取り付けた締付金具を締め付ける。
この車両離合支援ミラー１の取付手段は、上述した締付具を取り付けた締付バンド５を挿通孔６に掛け止める方法以外に、ボルト・ナット等で取り付けることも可能である。
【００１６】
図３は２枚の車両離合支援ミラーを路上障害物の電柱に巻き付けた状態を示す斜視図である。
車両離合支援ミラー１は、路上障害物Ｐとなる電柱に装着する枚数は１枚に限定されない。例えば、図３に示すように、車両離合支援ミラー１を電柱Ｐに上下に２箇所装着することも可能である。例えば、上段の車両離合支援ミラー１は大型車の運転席の高さ位置に、下段の車両離合支援ミラー１は小型車の運転席の高さ位置に合わせて装着した。このように運転席の高さ位置が異なるときは、２箇所に装着することにより、それぞれの運転席から自車との距離感を把握することができる。
【００１７】
図４は車両離合支援ミラーを電柱以外の路上障害物に巻き付けた状態を示す斜視図である。
本発明の車両離合支援ミラー１は、幅員の狭い道路Ｒにおいて車両が行き違いするときに、この車両離合支援ミラー１に自車を映すことにより、その路上障害物Ｐと自車との距離感を把握することを目的とする。そこで、幅員の狭い道路Ｒであれば、電柱以外に路上障害物Ｐが設置されていることがある。このような路上障害物Ｐにも本発明の車両離合支援ミラー１を装着することができる。
【００１８】
なお、本発明は、幅員の狭い道路Ｒに電柱のような路上障害物Ｐに装着することで、車両が行き違いするときに、昼間であっても眩しくなることがなく、自車とその路上障害物Ｐとの距離感を把握することができれば、上述した発明の実施の形態に限定されず、本発明の要旨を逸脱しない範囲で種々変更できることは勿論である。
【産業上の利用可能性】
【００１９】
本発明の車両離合支援ミラーは、発電所、プラント等の工場施設内のような車両が行き違いする施設においても利用することができる。
【図面の簡単な説明】
【００２０】
【図１】本発明の車両離合支援ミラーを電柱に巻き付けた状態を示すものであり、（ａ）は斜視図、（ｂ）は横断面図、（ｃ）は車両離合支援ミラーの拡大横断面図である。
【図２】車両離合支援ミラーを電柱に巻き付ける前の状態を示すものであり、（ａ）は全体斜視図、（ｂ）は平断面図である。
【図３】２枚の車両離合支援ミラーを路上障害物の電柱に巻き付けた状態を示す斜視図である。
【図４】車両離合支援ミラーを電柱以外の路上障害物に巻き付けた状態を示す斜視図である。
【図５】道路において車両同士が離合する状態を示す平面説明図であり、（ａ）は行き違う前の状態、（ｂ）は行き違い中の状態である。
【符号の説明】
【００２１】
１  車両離合支援ミラー
２  鏡面シート
３  偏光シート
４  光触媒の被膜
Ｐ  電柱、路上障害物
Ｒ  道路
【図１】
2008216826.tif 000003
【図２】
2008216826.tif 000004
【図３】
2008216826.tif 000005
【図４】
2008216826.tif 000006
【図５】
2008216826.tif 000007